(57)【要約】【課題】足裏健康法を日常的に行うことが容易である足踏み用マットを提供する。【解決手段】足の裏面のツボを刺激し得るように構成された複数の突起２４（２６，２８）を有する足踏み部２０と、足を置き得るように構成された平坦部３０，４０と、を有する足踏み用マット１０であり、足踏み部２０および平坦部３０，４０における足の裏面に接し得る表面は、吸水性材料から構成されている。【選択図】図１
0003209738.tif 000002
【実用新案登録請求の範囲】
【請求項１】
足の裏面のツボを刺激し得るように構成された複数の突起を有する足踏み部と
前記足を置き得るように構成された平坦部と、を有し、
前記足踏み部および前記平坦部における前記足の裏面に接し得る表面は、吸水性材料から構成されていることを特徴とする足踏み用マット。
【請求項２】
前記平坦部は、前記足踏み部を挟んで一対設けられ、
前記平坦部の各々は、片方の足のみを置き得るように構成され、
前記片方の足の向きは、前記足踏み部と前記平坦部との境界に沿った方向であることを特徴とする請求項１に記載の足踏み用マット。
【請求項３】
前記足踏み部は、半円柱状であることを特徴とする請求項１又は請求項２に記載の足踏み用マット。
【請求項４】
前記複数の突起は、前記足踏み部において中央部を除いた表面の略全体に渡って配置される複数の小突起と、前記小突起の径より大きな径を有し、前記中央部に配置される単一の巨大突起と、を有することを特徴とする請求項１〜３のいずれか１項に記載の足踏み用マット。
【請求項５】
前記足踏み部および前記平坦部は、前記吸水性材料から形成され、一体となっていることを特徴とする請求項１〜４のいずれか１項に記載の足踏み用マット。
【請求項６】
前記吸水性材料は、多孔質材料を含んでいることを特徴とする請求項１〜５のいずれか１項に記載の足踏み用マット。
【請求項７】
前記吸水性材料は、珪藻土を含んでいることを特徴とする請求項１〜６のいずれか１項に記載の足踏み用マット。
【考案の詳細な説明】
【技術分野】
【０００１】
本考案は、足踏み用マットに関する。
【背景技術】
【０００２】
東洋医学によると、足の裏面には臓器や器官等の機能を回復するツボが分布しており、このツボを器具類で刺激して健康を促進させる家庭療法が、足裏健康法として知られている。
【０００３】
足裏健康法に使用される足踏み式マッサージ器として、踏み板の表面に複数個の突起を有し、踏み板に足を置いた際に、踏み板の突起が足の裏面のツボを刺激し、足の裏面をマッサージするように構成されているものが、各種提案されている（例えば、特許文献１参照。）。
【先行技術文献】
【特許文献】
【０００４】
【特許文献１】実用新案登録第３１４３１５２号公報
【考案の概要】
【考案が解決しようとする課題】
【０００５】
しかし、足裏健康法を日常的に行うことは困難であり、中断して諦める傾向がある。例えば、足踏み式マッサージ器を踏む動作は単調であり、飽き易く、購入直後はともかく、使用する意欲が経時的に低下する問題を有する。また、足踏み式マッサージ器の設置は場所をとり、使用しない時は邪魔であるため、片付けたり、取り出したりする動作が面倒である問題を有する。
【０００６】
本考案は、上記従来技術に伴う課題を解決するためになされたものであり、足裏健康法を日常的に行うことが容易である足踏み用マットを提供することを目的とする。
【課題を解決するための手段】
【０００７】
上記目的を達成するための本考案は、足の裏面のツボを刺激し得るように構成された複数の突起を有する足踏み部と、前記足を置き得るように構成された平坦部と、を有する足踏み用マットであり、前記足踏み部および前記平坦部における前記足の裏面に接し得る表面は、吸水性材料から構成されている。
【考案の効果】
【０００８】
本考案によれば、足踏み用マットに足が置かれる際、平坦部は、足に付着している水分を吸水（除去）し、足踏み部は、足に付着している水分を吸水（除去）すると共に足の裏面をさらにマッサージする。つまり、足の裏面のマッサージが足拭きの動作と一体化しており、足拭きの際に足の裏面がマッサージされるため、足裏健康法を日常的に行うことが可能である。また、足踏み式マッサージ器を別途必要としないため、足踏み式マッサージ器を片付けたり、取り出したりする面倒な動作が不要であり、足裏健康法を容易に行うことが可能である。したがって、足裏健康法を日常的に行うことが容易である足踏み用マットを提供することが可能である。
【図面の簡単な説明】
【０００９】
【図１】本考案の実施の形態に係る足踏み用マットを説明するための斜視図である。
【図２】図１に示される足踏み用マットの断面図である。
【図３】図１に示される足踏み用マットの平面図である。
【図４】足踏み用マットの足踏み部における足の置き場所の一例を説明するための平面図である。
【図５】足踏み用マットの平坦部における足の置き場所の一例を説明するための平面図である。
【考案を実施するための形態】
【００１０】
以下、本考案の実施の形態を図面を参照しつつ説明する。なお、図面の厚み比率は、説明の都合上誇張されており、実際の比率とは異なる場合がある。
【００１１】
図１、図２および図３は、本考案の実施の形態に係る足踏み用マットを説明するための斜視図、断面図および平面図、図４および図５は、足踏み用マットの足踏み部および平坦部における足の置き場所の一例を説明するための平面図である。
【００１２】
本考案の実施の形態に係る足踏み用マット１０は、足拭き機能および足踏み式マッサージ機能を有しており、例えば、脱衣室の浴室出口付近の床面に敷かれて使用される。具体的には、足踏み用マット１０は、図１に示されるように、足踏み部２０および平坦部３０，４０を有し、足踏み部２０および平坦部３０，４０は、吸水性材料から一体的に形成されている。
【００１３】
足踏み部２０は、足の裏面に接し得る表面を含めて吸水性材料から構成されているため、例えば、風呂やシャワーにより濡れている足が置かれることによって、足に付着している水分を吸水（除去）することが可能である。
【００１４】
足踏み部２０は、図２に示されるように、半円柱状であり、足踏み部２０の表面には、複数の半球状突起２４が配置されている。
【００１５】
半球状突起２４は、足を置く際の荷重によって足の裏面のツボを刺激し得るように構成されており、足の裏面のマッサージが可能である。ツボの刺激は、血行の促進や自律神経活性化を引き起こし、健康増進を図ることが可能である。また、足の裏面のマッサージの際において、足に付着している水分が吸水されるため、足が濡れている場合であっても、滑ることが抑制される。
【００１６】
特に、足踏み部２０は、半円柱状であるため、足が置かれる際、足の裏面のくぼんでいる土踏まずの部分のツボを、効率的に刺激することが可能である。
【００１７】
突起２４は、図３に明確に示されるように、複数の小突起２６と単一の巨大突起２８とを有する。
【００１８】
小突起２６は、足踏み部２０において中央部２２を除いた表面の全体に渡って等間隔に配置される。巨大突起２８は、小突起２６の径より大きな径を有し、中央部２２に配置される。突起２４は、異なる径の突起２６，２８から構成されるため、図４に示されるように、足踏み部２０における足９０の置き場所を変更することで、多様な刺激を足９０の裏面のツボに与えることが可能である。
【００１９】
突起２６，２８のサイズは、例えば、ツボを刺激するマッサージ効果の観点および刺激が過大とならない（痛感を覚えない）観点から、適宜設定される。突起２６の間隔は、足の裏面のツボを適確に押圧する観点およびツボを刺激する圧力が過度に分散しない（圧力が不足しない）観点から、適宜設定される。
【００２０】
足踏み部２０は、上記のように、足拭きに加えて、足の裏面のマッサージがさらに可能であり、独立した足踏み式マッサージ器が不要である。つまり、足の裏面のマッサージが足拭きの動作と一体化しており、足踏み式マッサージ器を使用することなく、足拭きの際に足の裏面がマッサージされるため、足裏健康法を日常的に行うことが可能である。また、足踏み式マッサージ器を別途必要としないため、足踏み式マッサージ器を片付けたり、取り出したりする面倒な動作が不要である。
【００２１】
平坦部３０および４０は、足踏み部２０と同様に、足の裏面に接し得る表面を含めて吸水性材料から構成されているため、例えば、風呂やシャワーにより濡れている足が置かれることによって、足に付着している水分を吸水（除去）することが可能である。
【００２２】
平坦部３０および４０は、長方形状であり、足踏み部２０を挟んで相対するように配置される。図５に示されるように、足踏み部２０と平坦部３０，４０との境界Ｂは、平坦部３０，４０および足踏み部２０の長辺に対応している。平坦部３０，４０の各々は、片方の足９０のみを置き得るように構成されている。なお、片方の足９０の向きは、境界Ｂに沿った方向Ｄである。したがって、平坦部３０，４０のサイズを最小化し、足踏み用マット１０をコンパクトとすることが可能である。
【００２３】
足踏み部２０および平坦部３０，４０は、足拭きの際における良好な吸水性を発揮させる観点から、吸水性材料から形成して一体とすることが好ましいが、本形態に特に限定されない。例えば、足踏み部２０および平坦部３０における足の裏面に接し得る表面のみを吸水性材料から構成したり、足踏み部２０および平坦部３０を別体として形成した後で連結したりすることも可能である。
【００２４】
次に、吸水性材料を説明する。
【００２５】
吸水性材料は、例えば、珪藻土、多孔質鉱物、炭類、天然材料、潮解性化合物、不溶性高吸水性樹脂、水溶性高分子、粘土鉱物である。
【００２６】
多孔質鉱物は、ゼオライト、セピオライト等である。炭類は、木炭、活性炭、パルプスラッジ炭、フェライト入り炭等である。天然材料は、木材、オガクズ等である。潮解性化合物は、塩化カルシウム、塩化マグネシウム、塩化リチウム、ケイ酸ソーダ等である。不溶性高吸水性樹脂は、イソブチレン無水マレイン酸系樹脂、ポリアクリル酸系樹脂、グラフト化デンプン等である。水溶性高分子は、グリセリン、ジエチレングリコール、トリエチレングリコール、ポリアクリル酸ソーダ、ポリビニルアルコール、ポバール、カルボキシメチルセルロース（ＣＭＣ）、ポリエチレンオキサイド、澱粉等である。粘土鉱物は、アタバルジャイト、モンモリロナイト、ゾノトライト、活性白土等である。
【００２７】
吸水性材料は、多孔質材料を含んでいることが好ましい。珪藻土は、多孔質で吸水性に富んでおり、また、細孔がメソポアであるため調湿機能（湿気をコントロールする調整機能）を有するため、特に好ましい。
【００２８】
例えば、珪藻土を含んでいる吸水性材料によって構成される足踏み用マット１０は、足に付着している水分を充分に吸水（除去）し、かつ、その表面は、常に乾いた状態に維持されるため、使用者の感触は優れたものとなる。また、例えば、足踏み用マット１０を天日干しし、あるいは風に当てることによって、足踏み用マット１０内部の水分が容易に放出されるため、足踏み用マット１０の状態を良好に維持することが容易であり、かつ、カビ、雑菌などの発生が抑制される。なお、珪藻土を含んでいる吸水性材料は、珪藻土単体によって吸水性材料が構成される場合も含まれる。
【００２９】
珪藻土を含んでいる吸水性材料からの足踏み用マット１０の製造は、例えば、水硬性を利用する成形方法あるいは焼成を利用する成形方法を適用することが可能である。
【００３０】
水硬性を利用する成形方法の一例においては、吸水性材料に、水分および水硬性材料が添加されて、混練物が調製される。混練物は、プレス等の方法により、足踏み用マットの形状を有する成形体が形成される。成形体は、養生硬化されて、足踏み用マット１０が得られる。
【００３１】
水硬性材料は、例えば、セメントや石膏である。なお、珪藻土や粘土鉱物等は、水硬性を有するため、吸水性材料にこれらが含まれている場合、水硬性材料を配合することは必ずしも必要ではない。
【００３２】
焼成を利用する成形方法の一例においては、吸水性材料は、造粒により顆粒状の造粒物とされる。造粒物は、プレス等の方法により、足踏み用マットの形状を有する成形体が形成される。成形体は、加熱炉などにより焼成されて、足踏み用マット１０が得られる。
【００３３】
吸水性材料の造粒は、例えば、湿式粉砕およびスプレー造粒によって実行される。湿式粉砕においては、吸水性材料に粘土、火成岩その他を混合した材料が、粉砕されることで、泥漿が形成される。スプレー造粒においては、泥漿をスプレーしながらバーナー等により加熱乾燥することにより、顆粒状の造粒物が得られる。焼成においては、造粒物からなる成形体が、加熱して焼成される。焼成温度は、例えば、８００〜１０００℃程度であるが特に限定されず、吸水性材料に応じて適宜設定することが可能である。
【００３４】
焼成を利用する成形方法においては、高温が適用されるため、吸水性材料は、珪藻土、多孔質鉱物、炭類および粘土鉱物が好ましい。また、足踏み用マット１０の製造方法は、上記形態に限定されない。
【００３５】
以上のように本実施の形態においては、足踏み用マットに足が置かれる際、平坦部は、足に付着している水分を吸水（除去）し、足踏み部は、足に付着している水分を吸水（除去）すると共に足の裏面をさらにマッサージする。つまり、足の裏面のマッサージが足拭きの動作と一体化しており、足拭きの際に足の裏面がマッサージされるため、足裏健康法を日常的に行うことが可能である。また、足踏み式マッサージ器を別途必要としないため、足踏み式マッサージ器を片付けたり、取り出したりする面倒な動作が不要であり、足裏健康法を容易に行うことが可能である。つまり、足裏健康法を日常的に行うことが容易である足踏み用マットを提供することが可能である。
【００３６】
本考案は、上述した実施の形態に限定されるものではなく、実用新案登録請求の範囲で種々改変することができる。
【００３７】
例えば、足踏み部は、半円柱状に限定されず、また、足踏み部の突起は、半球状に限定されない。足踏み部の突起は、形状が異なる３種類以上の突起から構成することも可能である。小突起および巨大突起の配置構成は、上記構成に限定されない。
【００３８】
平坦部は、必要に応じ、足踏み部と平坦部との境界に沿った方向と直交する方向に、足を向けた状態で、足が置かれ得るように構成することも可能である。また、一対の平坦部の一方を省略し、足踏み部の片側のみに平坦部を設けることも可能である。この場合、平坦部は、両足を置き得るように構成することが好ましい。
【符号の説明】
【００３９】
１０  足踏み用マット、
２０  足踏み部、
２２  中央部、
２４  半球状突起、
２６  小突起、
２８  巨大突起、
３０，４０  平坦部、
９０  足、
Ｂ  境界、
Ｄ  方向。
【図１】
0003209738.tif 000003
【図２】
0003209738.tif 000004
【図３】
0003209738.tif 000005
【図４】
0003209738.tif 000006
【図５】
0003209738.tif 000007